(57)【要約】【課題】コイル線径が太い場合においても、簡易な構造によって巻線端部のスプリングバックに起因する端子からの緩みを確実に防止することができ、よって製造が容易になるとともに品質の一層の安定化を達成することが可能となる巻線部品を提供する。【解決手段】コイルと、このコイルが巻回される巻線部の軸線方向の端部にコイルの端部１５、１６が絡げられる複数本の端子１４ａ、１４ｂが植設された端子装着部１２ａ、１２ｂが一体に形成されたボビン１０を有し、かつ端子装着部１２ａ、１２ｂの端子の植設面１３に、これから突出するガイド部１７を一体に形成するとともに、ガイド部の端子１４ａ、１４ｂと対向する側面を、端子の外周面との間に少なくともコイルの端部１５、１６が巻回可能な隙間を介して当該外周面の円周方向に沿う円弧面１７ａによって形成した。【選択図】図５
2013143540.tif 000002
【特許請求の範囲】
【請求項１】
コイルと、このコイルが巻回される巻線部の軸線方向の端部に当該コイルの端部が絡げられる複数本の端子が植設された端子装着部が一体に形成されたボビンとを有する巻線部品において、
上記端子装着部の上記端子の植設面に、当該植設面から突出するガイド部を一体に形成するとともに、上記ガイド部の上記端子と対向する側面を、上記端子の外周面との間に少なくとも上記コイルの端部が巻回可能な隙間を介して当該外周面の円周方向に沿う円弧面によって形成したことを特徴とする巻線部品。
【請求項２】
上記ガイド部の上記植設面からの突出方向の高さ寸法は、上記端子における上記コイルの端部の絡げ高さ寸法よりも大きく形成されていることを特徴とする請求項１に記載の巻線部品。
【請求項３】
上記ガイド部は、上記端子の上記巻線部側に形成されるとともに、上記円弧面は、上記端子の外周面の円周の１／４〜１／３の範囲に沿うように形成されていることを特徴とする請求項１または２に記載の巻線部品。
【請求項４】
上記端子装着部は、上記巻線部の軸線方向から離間する方向に突出するように形成されて、その先端面に上記植設面が形成されるとともに、複数の上記ガイド部の突出方向の先端面は、互いに同一面内に位置する平坦面によって形成されていることを特徴とする請求項１ないし３のいずれかに記載の巻線部品。
【発明の詳細な説明】
【技術分野】
【０００１】
本発明は、コイルが巻回された巻線部の端部に、複数本の端子を有する端子装着部が一体に形成されたボビンを備え、上記端子にコイルの端部が絡げられてなる巻線部品に関するものである。
【背景技術】
【０００２】
図８および図９は、このような巻線部品の一種である従来のトランスを示すものである。
このトランスは、図８に示すように、仕切板を間に介して軸線方向に１次コイルおよび２次コイル１が巻回されるとともに両端部にそれぞれ複数本の端子２が植設された端子装着部３が一体に形成されたボビンと、このボビンに巻回された１次コイルおよび２次コイル１内およびボビンの外周を囲繞して閉磁路を形成するコア４とから概略構成されたもので、図９（ａ）に示すように、一般的に１次コイルおよび２次コイル１の巻線の端部１ａは、各々端子装着部３の端子２に絡げられて半田付けにより固定されている。
【０００３】
ところで、上記構成からなる従来のトランスにおいては、コイル１の巻線の端部１ａを端子２に直接絡げているために、図９（ｂ）に示すように、当該巻線の端部１ａにおけるスプリングバックにより、端子２の外周から緩んだり、甚だしい場合には隣接する端子２に接触してショートしたりする可能性がある。
【０００４】
特に、近年、当該トランスが組み込まれる電子機器類の大電流化に伴って、上記コイル１の線径が太くなる傾向にあり、上記問題点を発生する可能性が高くなる傾向にある。このため、例えばコイル１として線径が０．３ｍｍφ以上の巻線を用いるトランスにおいては、その端子２への巻線の端部１ａの巻回作業を熟練者に頼らざるを得ない状況にあり、その改善が強く要請されている。
【０００５】
なお、下記特許文献１においても、同様の巻線構造を有するトランスが開示されている。
【先行技術文献】
【特許文献】
【０００６】
【特許文献１】特開平８−２７３９４３号公報
【発明の概要】
【発明が解決しようとする課題】
【０００７】
本発明は、上記事情に鑑みてなされたものであり、コイル線径が太い場合においても、簡易な構造によって巻線端部のスプリングバックに起因する端子からの緩みを確実に防止することができ、よって製造が容易になるとともに品質の一層の安定化を達成することが可能となる巻線部品を提供することを課題とするものである。
【課題を解決するための手段】
【０００８】
上記課題を解決するため、請求項１に記載の発明は、コイルと、このコイルが巻回される巻線部の軸線方向の端部に当該コイルの端部が絡げられる複数本の端子が植設された端子装着部が一体に形成されたボビンとを有する巻線部品において、上記端子装着部の上記端子の植設面に、当該植設面から突出するガイド部を一体に形成するとともに、上記ガイド部の上記端子と対向する側面を、上記端子の外周面との間に少なくとも上記コイルの端部が巻回可能な隙間を介して当該外周面の円周方向に沿う円弧面によって形成したことを特徴とするものである。
【０００９】
また、請求項２に記載の発明は、請求項１に記載の発明において、上記ガイド部の上記植設面からの突出方向の高さ寸法が、上記端子における上記コイルの端部の絡げ高さ寸法よりも大きく形成されていることを特徴とするものである。
【００１０】
さらに、請求項３に記載の発明は、請求項１または２に記載の発明において、上記ガイド部が、上記端子の上記巻線部側に形成されるとともに、上記円弧面が、上記端子の外周面の円周の１／４〜１／３の範囲に沿うように形成されていることを特徴とするものである。
【００１１】
また、請求項４に記載の発明は、請求項１〜３のいずれかに記載の発明において、上記端子装着部が、上記巻線部の軸線方向から離間する方向に突出するように形成されて、その先端面に上記植設面が形成されるとともに、複数の上記ガイド部の突出方向の先端面が、互いに同一面内に位置する平坦面によって形成されていることを特徴とするものである。
【発明の効果】
【００１２】
請求項１〜４のいずれかに記載の発明によれば、端子装着部の端子の植設面に、当該植設面から突出するとともに、上記端子と対向する側面が、上記端子の外周面との間に隙間を介して当該外周面の円周方向に沿う円弧面によって形成されたガイド部を形成しているために、上記端子に巻回した巻線の端部のスプリングバックによる端子外方への移動を、上記側面によって阻止することにより、緩みの発生を確実に防止することができる。
【００１３】
このため、コイルの巻線として線径が太いものを用いた場合においても、端子への巻回作業に熟練を要することなく、簡易な構造によって上記巻線端部のスプリングバックに起因する端子からの緩みを確実に防止することができ、よって製造が容易になるとともに品質の一層の安定化を達成することが可能になる。
【００１４】
この際に、請求項２に記載の発明のように、上記ガイド部の植設面からの突出方向の高さ寸法を、端子におけるコイルの端部の絡げ高さ寸法よりも大きくすれば、絡げ部分の全長にわたってコイルの端部の緩みを一層確実に防止することができて好適である。
【００１５】
また、請求項３に記載の発明によれば、上記ガイド部を端子の巻線部側に形成しているために、巻線の端部を端子に絡げた後に、コイル側を上方に位置させ、端子装着部の端部から上記端子部分までの範囲を半田槽内の半田面に浸けることにより、従来と同様にして、当該絡げ部分への固定用の半田付けを行うことができる。
【００１６】
しかも、ガイド部の円弧面を、端子の外周面のほとんどを覆うように形成すると、半田の表面張力によって、上記円弧面と端子との隙間に上記半田を浸透させることが難しくなるのに対して、請求項３に記載の発明においては、上記円弧面を、端子の外周面の１／４〜１／３の円周範囲に沿うように形成しているために、先ず上記ガイド部が形成されていない先端部分から端子の絡げ部分に上記半田を付着させることにより、当該半田を上記ガイド部と円弧面との間隙に浸透させることができる。
【００１７】
さらに、請求項４に記載の発明によれば、複数のガイド部の突出方向の先端面を、互いに同一面内に位置する平坦面によって形成しているために、この巻線部品を基板に面実装する際に、上記先端面を上記基板への当接面として利用することができる。
【図面の簡単な説明】
【００１８】
【図１】本発明の一実施形態を示す平面図である。
【図２】図１の側面図である。
【図３】図１の正面図である。
【図４】図１の斜視図である。
【図５】（ａ）は図１の端子装着部の端子近傍を拡大した平面図、（ｂ）は端子に巻線の端部を絡げた状態を示す平面図、（ｃ）は端子から巻線の端部がスプリングバックした状態を示す平面図である。
【図６】図４のトランスを基板に面実装した状態を示す斜視図である。
【図７】上記一実施形態において巻線の端部を絡げた端子部分に半田付けをする状態を示す縦断面図である。
【図８】従来のトランスを示す斜視図である。
【図９】（ａ）は図８の端子近傍を拡大した平面図、（ｂ）は（ａ）の端子から巻線の端部がスプリングバックにより緩んだ状態を示す平面図である。
【発明を実施するための形態】
【００１９】
図１〜図５は、本発明に係る巻線部品をトランスに適用した一実施形態を示すものである。
このトランスにおいては、ボビン１０の巻線部に隔壁を介して１本の巻線を巻回した１次コイルと、２本の巻線を巻回した２次コイルが形成され、これらコイルの外周に絶縁テープ１１が巻回されるとともに、上記巻線部の両端部に、それぞれ端子装着部１２ａが、１２ｂ一体に形成されている。
【００２０】
これら端子装着部１２ａ、１２ｂは、外観略角柱状に形成されたもので、上記巻線部の端部から巻線部の軸線方向Ｃに対して直交する方向に突出するように一体成形されている。そして、端子装着部１２ａ、１２ｂの上記突出方向の先端面（植設面）１３に、当該先端面１３から突出するように複数本の端子１４ａ、１４ｂが植設されている。ちなみに、一方の端子装着部１２ａには、１次コイルの各端部１５が絡げられる２本の端子１４ａが植設され、他方の端子装着部１２ｂには、２本の巻線からなる２次コイルの各端部１６が絡げられる合計４本の端子１４ｂが植設されている。
【００２１】
そして、１次コイルおよび２次コイルの巻線の端部１５、１６は、各々端子１４ａ、１４ｂに絡げられて半田付けにより固定されている。
【００２２】
さらに、これら端子装着部１２ａ、１２ｂには、各々の端子１４ａ、１４ｂの近傍において先端面１３から柱状に突出するガイド部１７が一体に形成されている。これらのガイド部１７は、それぞれ端子１４ａ、１４ｂとボビン１０の上記巻線部との間に形成されている。また、先端面１３からのガイド部１７の突出高さ寸法は、図２および図３に示すように、端子１４ａ、１４ｂにおけるコイルの端部１５、１６の絡げ高さ寸法よりも大きくなるように形成されている。
【００２３】
そして、ガイド部１５の端子１４ａ、１４ｂと対向する側面は、端子１４ａ、１４ｂの外周面との間に少なくともコイルの端部１５、１６が巻回可能な隙間を介して、上記外周面の円周方向に沿う円弧面１７ａによって形成されている。
【００２４】
これを詳述すると、ガイド部１７は、上記円弧面１７ａと直交する側面１７ｂが、各々１次コイルまたは２次コイルから引き出された端部１５、１６を上記軸線方向Ｃに案内する位置に形成されている。また、各々の円弧面１７ａは、上記端部１５、１６が各端子１４ａ、１４ｂの外周面を約半周巻回された位置を起点として、さらに当該巻回方向に沿って端子１４ａ、１４ｂの外周面の円周の１／４〜１／３の範囲に沿うように形成されている。
【００２５】
他方、これらのガイド部１７の突出方向の先端面１７ｃは、互いに同一面内に位置する平坦面によって形成されている。
【００２６】
そして、このトランスは、上記ボビン１０に、巻線部内に挿入されるとともに当該ボビン１０の外周を囲繞して閉磁路を形成する一対のＥ型フェライトコア１８が取り付けられることにより構成されるとともに、例えば図６に示すように、端子１５、１６が実装端子とされて回路基板２０に形成された接続孔に挿入されて当該回路基板２０に面実装されることにより使用に供される。
【００２７】
上記構成からなるトランスによれば、端子装着部１２ａ、１２ｂの先端面（端子の植設面）１３における端子１４ａ、１４ｂ近傍に、各々先端面１３から突出するガイド部１７を形成し、各ガイド部１７の端子１４ａ、１４ｂと対向する側面を、端子１４ａ、１４ｂの外周面との間に隙間を介して当該外周面の円周方向に沿う円弧面１７ａによって形成しているために、図５（ｃ）に示すように、端子１４ａ、１４ｂに巻回した１次コイルまたは２次コイルの巻線の端部１５、１６のスプリングバックによる端子外方への移動を、円弧面１７ａによって阻止することができる。
【００２８】
しかも、端子装着部１２ａ、１２ｂの先端面１３からのガイド部１７の突出方向の高さ寸法を、端子１４ａ、１４ｂにおけるコイルの端部１５、１６の絡げ高さ寸法よりも大きくしているために、絡げ部分の全長にわたってコイルの端部１５、１６の緩みを確実に防止することができる。
【００２９】
この結果、コイルの巻線として線径が太いものを用いた場合においても、端子１４ａ、１４ｂへの巻回作業に熟練を要することなく、簡易な構造によって巻線の端部１５、１６のスプリングバックに起因する端子１４ａ、１４ｂからの緩みを確実に防止することができ、よって製造が容易になるとともに品質の一層の安定化を達成することができる。
【００３０】
また、ガイド部１７を、端子１４ａ、１４ｂと巻線部との間に形成している。このため、端子１４ａ、１４ｂに巻線の端部１５、１５を絡げた後に、図７に示すように、ボビン１０のコイル側を上方に位置させ、端子装着部１２ａ、１２ｂの先端部分側から端子１４ａ、１４ｂにおける絡げ部分までの範囲を半田槽２１内の半田面２２に浸けることにより、従来と同様にして、当該絡げ部分への固定用の半田付けを行うことができる。
【００３１】
この際に、ガイド部１７の円弧面１７ａを、端子１４ａ、１４ｂの外周面の１／４〜１／３の円周範囲に沿うように形成しているために、先ず端子装着部１２ａ、１２ｂのガイド部１７が形成されていない先端部分側から端子１４ａ、１４ｂの絡げ部分に上記半田を付着させることにより、当該半田をガイド部１７と円弧面１７ａとの間隙に浸透させることができる。
【００３２】
さらに、上記トランスにおいては、ガイド部１７の突出方向の先端面１７ｃを、互いに同一面内に位置する平坦面によって形成しているために、図６に示したように、このトランスを回路基板２０に面実装する際に、ガイド部１７の先端面１７ｃを回路基板２０への当接面（位置決め面）として利用することもできる。
【００３３】
なお、上記実施形態においては、本発明に係る巻線部品を、トランスに適用した場合についてのみ説明したが、本発明はこれに限定されるものではなく、チョークコイル等の様々な巻線部品にも同様に適用することが可能である。
【符号の説明】
【００３４】
１０  ボビン
１２ａ、１２ｂ  端子装着部
１３  先端面（植設面）
１４ａ、１４ｂ  端子
１５  １次コイルの端部
１６  ２次コイルの端部
１７  ガイド部
１７ａ  円弧面
１７ｃ  先端面
【図１】
2013143540.tif 000003
【図２】
2013143540.tif 000004
【図３】
2013143540.tif 000005
【図４】
2013143540.tif 000006
【図５】
2013143540.tif 000007
【図６】
2013143540.tif 000008
【図７】
2013143540.tif 000009
【図８】
2013143540.tif 000010
【図９】
2013143540.tif 000011